【手続補正書】
【提出日】平成19年4月26日(2007.4.26)
【手続補正１】
【補正対象書類名】明細書
【補正対象項目名】発明の名称
【補正方法】変更
【補正の内容】
【発明の名称】画像処理システム、画像処理システムの制御方法および記憶媒体
【手続補正２】
【補正対象書類名】明細書
【補正対象項目名】特許請求の範囲
【補正方法】変更
【補正の内容】
【特許請求の範囲】
【請求項１】  複数の印刷データのレイアウトを行うレイアウトモードに基いた画像形成を行う場合に、１枚の記録紙の同一面上に所定ページ分の複数の印刷データが所定の順序で配列される第１の画像形成を画像形成装置により実行可能にし、且つ、
折り処理手段により二つ折りされる記録紙に印刷データを印刷する製本印刷モードに基いた画像形成を行う場合に、前記二つ折りされる記録紙の同一面上の折り位置を基準とした左側の領域と右側の領域のそれぞれに１ページ分の印刷データが夫々配列される第２の画像形成を前記画像形成装置により実行可能にした、画像処理システムであって、
前記レイアウトモードと前記製本印刷モードの両モードに基いた画像形成を実行させる要求をユーザインタフェース手段を介してユーザから受け付ける受付手段と、
前記レイアウトモードと前記製本印刷モードの両モードに基いた画像形成を実行させる要求を前記受付手段により受け付けた場合に、
前記二つ折りされる記録紙の同一面上の前記左側の領域と前記右側の領域のそれぞれに前記所定ページ分の複数の印刷データが前記所定の順序で夫々配列される第３の画像形成を前記画像形成装置により実行させる制御手段と、
を有することを特徴とする画像処理システム。
【請求項２】  請求項１記載の画像処理システムであって、
前記第３の画像形成に先立ち、前記第３の画像形成に係る全ページの印刷データを記憶手段に記憶させることを特徴とする画像処理システム。
【請求項３】  請求項１又は２記載の画像処理システムであって、
前記二つ折りされる記録紙の前記左側の領域と前記右側の領域の各領域における前記所定ページ分の複数の印刷データの配列数を、前記第３の画像形成に先立ち、前記ユーザインタフェース手段を介してユーザにより指定可能にすることを特徴とする画像処理システム。
【請求項４】  請求項１乃至３の何れかに記載の画像処理システムであって、
前記二つ折りされる記録紙の前記左側の領域と前記右側の領域の各領域における前記所定ページ分の複数の印刷データの配列順序を、前記第３の画像形成に先立ち、前記ユーザインタフェース手段を介してユーザにより指定可能にすることを特徴とする画像処理システム。
【請求項５】  請求項１乃至４の何れかに記載の画像処理システムであって、
前記受付手段は、前記レイアウトモードと前記製本印刷モードの両モードに基いた画像形成を実行させる要求を、前記画像形成装置が具備するユーザインタフェース手段を介して受け付けることを特徴とする画像処理システム。
【請求項６】  請求項１乃至５の何れかに記載の画像処理システムであって、
前記受付手段は、前記レイアウトモードと前記製本印刷モードの両モードに基いた画像形成を実行させる要求を、前記画像形成装置に対して印刷データを送信可能な外部装置のユーザインタフェース手段を介して受け付けることを特徴とする画像処理システム。
【請求項７】  請求項１乃至６の何れかに記載の画像処理システムであって、
前記第３の画像形成を、前記画像形成装置とは異なる他の画像形成装置により実行可能にすることを特徴とする画像処理システム。
【請求項８】  複数の印刷データのレイアウトを行うレイアウトモードに基いた画像形成を行う場合に、１枚の記録紙の同一面上に所定ページ分の複数の印刷データが所定の順序で配列される第１の画像形成を画像形成装置により実行可能にし、且つ、
折り処理手段により二つ折りされる記録紙に印刷データを印刷する製本印刷モードに基いた画像形成を行う場合に、前記二つ折りされる記録紙の同一面上の折り位置を基準とした左側の領域と右側の領域のそれぞれに１ページ分の印刷データが夫々配列される第２の画像形成を前記画像形成装置により実行可能にした、画像処理システムの制御方法であって、
前記レイアウトモードと前記製本印刷モードの両モードに基いた画像形成を実行させる要求をユーザインタフェース手段を介してユーザから受け付け、
前記制御方法は、
前記レイアウトモードと前記製本印刷モードの両モードに基いた画像形成を実行させる要求を前記ユーザインタフェース手段を介してユーザから受け付けた場合に、
前記二つ折りされる記録紙の同一面上の前記左側の領域と前記右側の領域のそれぞれに前記所定ページ分の複数の印刷データが前記所定の順序で夫々配列される第３の画像形成を前記画像形成装置により実行させることを特徴とする制御方法。
【請求項９】  請求項８記載の制御方法であって、
前記第３の画像形成に先立ち、前記第３の画像形成に係る全ページの印刷データを記憶手段に記憶させることを特徴とする制御方法。
【請求項１０】  請求項８又は９記載の制御方法であって、
前記二つ折りされる記録紙の前記左側の領域と前記右側の領域の各領域における前記所定ページ分の複数の印刷データの配列数を、前記第３の画像形成に先立ち、前記ユーザインタフェース手段を介してユーザにより指定可能にすることを特徴とする制御方法。
【請求項１１】  請求項８乃至１０の何れかに記載の制御方法であって、
前記二つ折りされる記録紙の前記左側の領域と前記右側の領域の各領域における前記所定ページ分の複数の印刷データの配列順序を、前記第３の画像形成に先立ち、前記ユーザインタフェース手段を介してユーザにより指定可能にすることを特徴とする制御方法。
【請求項１２】  請求項８乃至１１の何れかに記載の制御方法であって、
前記制御方法は、前記レイアウトモードと前記製本印刷モードの両モードに基いた画像形成を実行させる要求を、前記画像形成装置が具備するユーザインタフェース手段を介して受け付けることを特徴とする制御方法。
【請求項１３】  請求項８乃至１２の何れかに記載の制御方法であって、
前記制御方法は、前記レイアウトモードと前記製本印刷モードの両モードに基いた画像形成を実行させる要求を、前記画像形成装置に対して印刷データを送信可能な外部装置のユーザインタフェース手段を介して受け付けることを特徴とする制御方法。
【請求項１４】  請求項８乃至１３の何れかに記載の制御方法であって、
前記制御方法は、前記第３の画像形成を、前記画像形成装置とは異なる他の画像形成装置により実行可能にすることを特徴とする制御方法。
【請求項１５】  請求項８乃至１４の何れかに記載の制御方法をコンピュータに実行させるためのコンピュータ読取可能な記憶媒体。
【手続補正３】
【補正対象書類名】明細書
【補正対象項目名】０００１
【補正方法】変更
【補正の内容】
【０００１】
【発明の属する技術分野】
本発明は画像処理システム、画像処理システムの制御方法および記憶媒体に関し、特に、記録用紙を重ねて中央より折り返して製本したときにページ順になるような形で原稿画像をレイアウトして出力する製本レイアウト機能と複数枚の原稿を原稿枚数よりも少ない記録用紙の上にレイアウトして出力する機能を有する複写機等の画像処理装置を用いた画像処理システム、画像処理システムの制御方法および記憶媒体に関する。
【手続補正４】
【補正対象書類名】明細書
【補正対象項目名】０００６
【補正方法】変更
【補正の内容】
【０００６】
本発明は、このような背景の下になされたもので、その目的は、製本レイアウト機能により製本出力される冊子の各ページに複数の原稿画像が入力順に従って配置されて出力さるようなレイアウトを可能にする画像処理システム、画像処理システムの制御方法および記憶媒体を提供することにある。
【手続補正５】
【補正対象書類名】明細書
【補正対象項目名】０００７
【補正方法】変更
【補正の内容】
【０００７】
【課題を解決するための手段】
上記の目的を達成するために本発明システムは、複数の印刷データのレイアウトを行うレイアウトモードに基いた画像形成を行う場合に、１枚の記録紙の同一面上に所定ページ分の複数の印刷データが所定の順序で配列される第１の画像形成を画像形成装置により実行可能にし、且つ、折り処理手段により二つ折りされる記録紙に印刷データを印刷する製本印刷モードに基いた画像形成を行う場合に、前記二つ折りされる記録紙の同一面上の折り位置を基準とした左側の領域と右側の領域のそれぞれに１ページ分の印刷データが夫々配列される第２の画像形成を前記画像形成装置により実行可能にした、画像処理システムであって、前記レイアウトモードと前記製本印刷モードの両モードに基いた画像形成を実行させる要求をユーザインタフェース手段を介してユーザから受け付ける受付手段と、前記レイアウトモードと前記製本印刷モードの両モードに基いた画像形成を実行させる要求を前記受付手段により受け付けた場合に、前記二つ折りされる記録紙の同一面上の前記左側の領域と前記右側の領域のそれぞれに前記所定ページ分の複数の印刷データが前記所定の順序で夫々配列される第３の画像形成を前記画像形成装置により実行させる制御手段と、を有することを特徴とする。
【手続補正６】
【補正対象書類名】明細書
【補正対象項目名】０００８
【補正方法】変更
【補正の内容】
【０００８】
上記本発明システムにおいて、前記第３の画像形成に先立ち、前記第３の画像形成に係る全ページの印刷データを記憶手段に記憶させることができる。
【手続補正７】
【補正対象書類名】明細書
【補正対象項目名】０００９
【補正方法】変更
【補正の内容】
【０００９】
上記本発明システムにおいて、前記二つ折りされる記録紙の前記左側の領域と前記右側の領域の各領域における前記所定ページ分の複数の印刷データの配列数を、前記第３の画像形成に先立ち、前記ユーザインタフェース手段を介してユーザにより指定可能にすることができる。
【手続補正８】
【補正対象書類名】明細書
【補正対象項目名】００１０
【補正方法】変更
【補正の内容】
【００１０】
上記本発明システムにおいて、前記二つ折りされる記録紙の前記左側の領域と前記右側の領域の各領域における前記所定ページ分の複数の印刷データの配列順序を、前記第３の画像形成に先立ち、前記ユーザインタフェース手段を介してユーザにより指定可能にすることができる。
【手続補正９】
【補正対象書類名】明細書
【補正対象項目名】００１１
【補正方法】変更
【補正の内容】
【００１１】
上記本発明システムにおいて、前記受付手段は、前記レイアウトモードと前記製本印刷モードの両モードに基いた画像形成を実行させる要求を、前記画像形成装置が具備するユーザインタフェース手段を介して受け付けることができる。
【手続補正１０】
【補正対象書類名】明細書
【補正対象項目名】００１２
【補正方法】変更
【補正の内容】
【００１２】
上記本発明システムにおいて、前記受付手段は、前記レイアウトモードと前記製本印刷モードの両モードに基いた画像形成を実行させる要求を、前記画像形成装置に対して印刷データを送信可能な外部装置のユーザインタフェース手段を介して受け付けることができる。
【手続補正１１】
【補正対象書類名】明細書
【補正対象項目名】００１３
【補正方法】変更
【補正の内容】
【００１３】
上記本発明システムにおいて、前記第３の画像形成を、前記画像形成装置とは異なる他の画像形成装置により実行可能にすることができる。
【手続補正１２】
【補正対象書類名】明細書
【補正対象項目名】００１４
【補正方法】変更
【補正の内容】
【００１４】
上記の目的を達成するために本発明方法は、複数の印刷データのレイアウトを行うレイアウトモードに基いた画像形成を行う場合に、１枚の記録紙の同一面上に所定ページ分の複数の印刷データが所定の順序で配列される第１の画像形成を画像形成装置により実行可能にし、且つ、折り処理手段により二つ折りされる記録紙に印刷データを印刷する製本印刷モードに基いた画像形成を行う場合に、前記二つ折りされる記録紙の同一面上の折り位置を基準とした左側の領域と右側の領域のそれぞれに１ページ分の印刷データが夫々配列される第２の画像形成を前記画像形成装置により実行可能にした、画像処理システムの制御方法であって、前記レイアウトモードと前記製本印刷モードの両モードに基いた画像形成を実行させる要求をユーザインタフェース手段を介してユーザから受け付け、前記制御方法は、前記レイアウトモードと前記製本印刷モードの両モードに基いた画像形成を実行させる要求を前記ユーザインタフェース手段を介してユーザから受け付けた場合に、前記二つ折りされる記録紙の同一面上の前記左側の領域と前記右側の領域のそれぞれに前記所定ページ分の複数の印刷データが前記所定の順序で夫々配列される第３の画像形成を前記画像形成装置により実行させることを特徴とする。
【手続補正１３】
【補正対象書類名】明細書
【補正対象項目名】００１５
【補正方法】変更
【補正の内容】
【００１５】
上記本発明制御方法において、前記第３の画像形成に先立ち、前記第３の画像形成に係る全ページの印刷データを記憶手段に記憶させることができる。
【手続補正１４】
【補正対象書類名】明細書
【補正対象項目名】００１６
【補正方法】変更
【補正の内容】
【００１６】
上記本発明制御方法において、前記二つ折りされる記録紙の前記左側の領域と前記右側の領域の各領域における前記所定ページ分の複数の印刷データの配列数を、前記第３の画像形成に先立ち、前記ユーザインタフェース手段を介してユーザにより指定可能にすることができる。
【手続補正１５】
【補正対象書類名】明細書
【補正対象項目名】００１７
【補正方法】変更
【補正の内容】
【００１７】
上記本発明制御方法において、前記二つ折りされる記録紙の前記左側の領域と前記右側の領域の各領域における前記所定ページ分の複数の印刷データの配列順序を、前記第３の画像形成に先立ち、前記ユーザインタフェース手段を介してユーザにより指定可能にすることができる。
【手続補正１６】
【補正対象書類名】明細書
【補正対象項目名】００１８
【補正方法】変更
【補正の内容】
【００１８】
上記本発明制御方法において、前記制御方法は、前記レイアウトモードと前記製本印刷モードの両モードに基いた画像形成を実行させる要求を、前記画像形成装置が具備するユーザインタフェース手段を介して受け付けることができる。
【手続補正１７】
【補正対象書類名】明細書
【補正対象項目名】００１９
【補正方法】変更
【補正の内容】
【００１９】
上記本発明制御方法において、前記制御方法は、前記レイアウトモードと前記製本印刷モードの両モードに基いた画像形成を実行させる要求を、前記画像形成装置に対して印刷データを送信可能な外部装置のユーザインタフェース手段を介して受け付けることができる。
【手続補正１８】
【補正対象書類名】明細書
【補正対象項目名】００２０
【補正方法】変更
【補正の内容】
【００２０】
上記本発明制御方法において、前記制御方法は、前記第３の画像形成を、前記画像形成装置とは異なる他の画像形成装置により実行可能にすることができる。
【手続補正１９】
【補正対象書類名】明細書
【補正対象項目名】００２１
【補正方法】変更
【補正の内容】
【００２１】
上記の目的を達成するために本発明記憶媒体は、上記何れかの本発明制御方法をコンピュータに実行させるためのコンピュータ読取可能な記憶媒体とすることができる。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】削除
【補正の内容】
【手続補正２４】
【補正対象書類名】明細書
【補正対象項目名】００２６
【補正方法】削除
【補正の内容】
【手続補正２５】
【補正対象書類名】明細書
【補正対象項目名】００２７
【補正方法】削除
【補正の内容】
【手続補正２６】
【補正対象書類名】明細書
【補正対象項目名】００２８
【補正方法】削除
【補正の内容】
【手続補正２７】
【補正対象書類名】明細書
【補正対象項目名】００２９
【補正方法】削除
【補正の内容】
【手続補正２８】
【補正対象書類名】明細書
【補正対象項目名】００３０
【補正方法】削除
【補正の内容】
【手続補正２９】
【補正対象書類名】明細書
【補正対象項目名】００３１
【補正方法】削除
【補正の内容】
【手続補正３０】
【補正対象書類名】明細書
【補正対象項目名】００３２
【補正方法】削除
【補正の内容】
【手続補正３１】
【補正対象書類名】明細書
【補正対象項目名】００３３
【補正方法】削除
【補正の内容】
【手続補正３２】
【補正対象書類名】明細書
【補正対象項目名】００３４
【補正方法】削除
【補正の内容】
【手続補正３３】
【補正対象書類名】明細書
【補正対象項目名】００３５
【補正方法】削除
【補正の内容】
【手続補正３４】
【補正対象書類名】明細書
【補正対象項目名】００３６
【補正方法】削除
【補正の内容】
【手続補正３５】
【補正対象書類名】明細書
【補正対象項目名】００３７
【補正方法】削除
【補正の内容】
【手続補正３６】
【補正対象書類名】明細書
【補正対象項目名】００３８
【補正方法】削除
【補正の内容】
【手続補正３７】
【補正対象書類名】明細書
【補正対象項目名】００３９
【補正方法】削除
【補正の内容】
【手続補正３８】
【補正対象書類名】明細書
【補正対象項目名】００４０
【補正方法】削除
【補正の内容】
【手続補正３９】
【補正対象書類名】明細書
【補正対象項目名】００４１
【補正方法】削除
【補正の内容】
【手続補正４０】
【補正対象書類名】明細書
【補正対象項目名】００４２
【補正方法】削除
【補正の内容】
【手続補正４１】
【補正対象書類名】明細書
【補正対象項目名】００４３
【補正方法】削除
【補正の内容】
【手続補正４２】
【補正対象書類名】明細書
【補正対象項目名】００４４
【補正方法】削除
【補正の内容】
【手続補正４３】
【補正対象書類名】明細書
【補正対象項目名】００４５
【補正方法】削除
【補正の内容】
【手続補正４４】
【補正対象書類名】明細書
【補正対象項目名】００４６
【補正方法】削除
【補正の内容】
【手続補正４５】
【補正対象書類名】明細書
【補正対象項目名】０１１１
【補正方法】変更
【補正の内容】
【０１１１】
【発明の効果】
以説明したように本発明によれば、複数の印刷データのレイアウトを行うレイアウトモードに基いた画像形成を行う場合に、１枚の記録紙の同一面上に所定ページ分の複数の印刷データが所定の順序で配列される第１の画像形成を画像形成装置により実行可能にし、且つ、折り処理手段により二つ折りされる記録紙に印刷データを印刷する製本印刷モードに基いた画像形成を行う場合に、前記二つ折りされる記録紙の同一面上の折り位置を基準とした左側の領域と右側の領域のそれぞれに１ページ分の印刷データが夫々配列される第２の画像形成を前記画像形成装置により実行可能にした画像処理システムで、前記レイアウトモードと前記製本印刷モードの両モードに基いた画像形成を実行させる要求をユーザインタフェース手段を介してユーザから受け付けることができ、前記レイアウトモードと前記製本印刷モードの両モードに基いた画像形成を実行させる要求を前記ユーザインタフェース手段を介してユーザから受け付けた場合に、前記二つ折りされる記録紙の同一面上の前記左側の領域と前記右側の領域のそれぞれに前記所定ページ分の複数の印刷データが前記所定の順序で夫々配列される第３の画像形成を前記画像形成装置により実行させることができる。